(57)【要約】【課題】  光ディスク中のコンテンツの再生に必要な再生モジュールにより確実に再生することができる再生装置、再生システム及び再生方法を提供する。【解決手段】  光ディスクからコンテンツ情報及び識別情報を読み出すドライブ部１３と、外部装置ＤＳとネットワークを介して通信を行なう通信部１９と、ドライブからのコンテンツ情報を再生モジュールを用いて再生する再生部１４と、バージョンアップリストを取得し、これとドライブ部からの識別情報と比べて、再生部の再生モジュールを更新すべきと判断すると、通信部を介して外部装置から再生モジュールをダウンロードし再生モジュールを更新し、この更新された再生モジュールでコンテンツ情報を再生するべく管理する管理部１６をもつ再生装置。【選択図】図１
2009134359.tif 000002
【特許請求の範囲】
【請求項１】
光ディスクからコンテンツ情報及び識別情報を読み出すドライブ部と、
外部装置とネットワークを介して通信を行なう通信部と、
前記ドライブからのコンテンツ情報を再生モジュールを用いて再生する再生部と、
バージョンアップリストを取得し、これと前記ドライブ部からの識別情報と比べて、前記再生部の再生モジュールを更新すべきと判断すると、前記通信部を介して前記外部装置から再生モジュールをダウンロードし前記再生モジュールを更新し、この更新された再生モジュールで前記コンテンツ情報を再生するべく管理する管理部と、
を具備することを特徴とする再生装置。
【請求項２】
前記管理部は、前記通信部を介して、前記外部装置に前記識別情報を供給しこれに応じた前記バージョンアップリストを受信するものである請求項１記載の再生装置。
【請求項３】
前記バージョンアップリストは、少なくとも複数の前記識別情報とこれらに対応したバージョンアップのレベルを示した値を有していることを特徴とする請求項１記載の再生装置。
【請求項４】
前記管理部は、前記バージョンアップリストの複数の識別情報に対応した複数のバージョンアップのレベルから、前記ドライブ部が読み取った識別情報に対応したバージョンアップのレベルを取得し、前記再生部のモジュールのバージョンのレベルと比較して更新が必要かどうかを判断することを特徴とする請求項１記載の再生装置。
【請求項５】
前記管理部は、電源の起動時に、前記通信部を介して前記外部装置から前記バージョンアップリストを自動更新することを特徴とする請求項１記載の再生装置。
【請求項６】
光ディスクからコンテンツ情報及び識別情報を読み出すドライブ部と、ネットワークを介して通信を行なう通信部と、前記ドライブからのコンテンツ情報を再生モジュールを用いて再生する再生部と、バージョンアップリストを取得し、これと前記ドライブ部からの識別情報と比べて、前記再生モジュールを更新すべきと判断すると、前記通信部を介して再生モジュールをダウンロードし前記再生部の再生モジュールを更新し、この更新された再生モジュールで前記コンテンツ情報を再生するべく管理する管理部を具備することを特徴とする再生装置と、
ネットワークを介して前記再生装置の前記通信部と通信を行う通信部と、前記バージョンアップリスト及び前記再生モジュールを格納しているデータベース部と、前記通信部を介して前記再生装置から前記識別情報と要求信号を受けると、前記識別情報に対応した前記バージョンアップリスト及び前記再生モジュールを前記再生装置に供給するデータベース管理部を有するデータベースサーバ装置を具備することを特徴とする再生システム。
【請求項７】
前記データベース管理部は、前記データベースが前記識別情報に対応した再生モジュールを有する場合は、前記識別情報に対応した前記バージョンアップリスト及び前記再生モジュールを前記再生装置に供給し、前記データベースが前記識別情報に対応した再生モジュールを有していない場合は、前記識別情報に対応した前記バージョンアップリストのみを前記再生装置に供給することを特徴とする請求項６記載の再生システム。
【請求項８】
光ディスクからコンテンツ情報及び識別情報を読み出すドライブ部と、外部装置とネットワークを介して通信を行なう通信部と、前記ドライブからのコンテンツ情報を再生モジュールを用いて再生する再生部をもつ再生装置に対して、
取得したバージョンアップリストと前記ドライブ部から取得した光ディスクの識別情報とを比べて、前記再生モジュールを更新するかどうかを判断し、
更新すべきと判断すると、前記通信部を介して前記外部装置から再生モジュールをダウンロードして前記再生部の再生モジュールを更新し、
この更新された再生モジュールを用いて前記コンテンツ情報を再生することを特徴とする再生方法。
【請求項９】
前記識別情報を前記外部装置に前記通信部を介して供給し、
前記外部装置から前記識別情報に対応した前記バージョンアップリストを受信することを特徴とする請求項８記載の再生方法。
【請求項１０】
前記バージョンアップリストは、少なくとも複数の前記識別情報とこれらに対応したバージョンアップのレベルを示した値を有していることを特徴とする請求項８記載の再生方法。
【発明の詳細な説明】
【技術分野】
【０００１】
この発明は、再生モジュールの一部を更新する再生装置、再生システム及び再生方法に関する。
【背景技術】
【０００２】
最近、光ディスクの普及が進み、光ディスクの再生品位を向上させるための多くの技術が知られている。その一つとして、光ディスクが格納するコンテンツ情報の信号形式がファームウェアに完全に対応していない場合があり、ファームウェアを更新する技術が知られている。
【０００３】
特許文献１には、ＰＣを用いてバージョンアップサイトにアクセスして、他のＡＶ機器をバージョンアップする技術が記載されている。
【特許文献１】特開２００４−１８５０９６号公報
【発明の開示】
【発明が解決しようとする課題】
【０００４】
しかし、特許文献１の従来技術は、ユーザが光ディスクを再生する際に、必要と感じるとユーザの操作により例えばインターネット上のサーバにアクセスして、必要なモジュールをダウンロードして再生に利用する必要がある。従って、ユーザの判断や操作の手を煩わすためユーザに負担をかけることになる。
【０００５】
本発明は、光ディスク中のコンテンツの再生に必要な再生モジュールにより確実に再生することができる再生装置、再生システム及び再生方法を提供することを目的とする。
【課題を解決するための手段】
【０００６】
課題を解決するための一実施形態は、
光ディスクからコンテンツ情報及び識別情報を読み出すドライブ部（１３）と、
外部装置（ＤＳ）とネットワークを介して通信を行なう通信部（１９）と、
前記ドライブからのコンテンツ情報を再生モジュールを用いて再生する再生部（１４）と、
バージョンアップリストを取得し、これと前記ドライブ部からの識別情報と比べて、前記再生部の再生モジュールを更新すべきと判断すると、前記通信部を介して前記外部装置から再生モジュールをダウンロードし前記再生モジュールを更新し、この更新された再生モジュールで前記コンテンツ情報を再生するべく管理する管理部（１６）と、
を具備することを特徴とする再生装置である。
【発明の効果】
【０００７】
光ディスクを挿入しただけで、再生に必要な再生モジュールがネットワークを介して自動的に更新され、コンテンツの再生を確実に行なうことができる。
【発明を実施するための最良の形態】
【０００８】
以下、この発明の実施の形態について図面を参照して詳細に説明する。
【０００９】
＜本発明の一実施形態である再生装置とデータベースサーバの一例＞
次に、本発明の一実施形態である再生装置とデータベースサーバの一例を図面を用いて以下に詳細に説明する。図１は、本発明の一実施形態に係る再生装置の構成の一例を示すブロック図である。図２は、同じく再生装置の動作の一例を示すブロック図である。
【００１０】
（構成）
本発明の一実施形態である再生装置１０とデータベースサーバＤＳは、図１に示すように、例えば、インターネット等のネットワークで接続されている。
【００１１】
ここで、再生装置１０は、全体の動作を司る制御部１１と、一例としてＨＤ  ＤＶＤディスクＤが装填されるディスクドライブ部１３と、光ディスクを管理するディスク管理部１５と、光ディスクの再生モジュールのバージョンアップ処理を管理するバージョンアップ管理部１６と、主にコーデックとＥＣＭＡスクリプト解析部を含むビデオ再生モジュール１４と、ビデオ再生モジュール１４で再生された映像や操作情報が表示される表示部１２を有している。更に、再生装置１０は、バージョンアップ管理部１６で管理されているファイルや映像ファイル、管理ファイル等を管理するファイル管理部１７と、光ディスクから取得したコンテンツ情報や管理情報等を記録する記憶部１８と、例えば、インターネット等の通信機能をもつ通信部１９を有している。
【００１２】
更に、インターネット等のネットワークで接続されたデータベースサーバＤＳは、インターネット等のネットワークを介して通信を行なう通信部３１と、少なくともバージョンアップリストやバージョンアップ用の再生モジュール情報を格納するデータベース部３３と、このデータベース部３３の働きを管理するデータベース管理部３２を有している。
【００１３】
（動作）
・基本動作
上述した構成の再生装置は、基本動作として、光ディスク中のコンテンツの再生機能や記憶部１８に記憶されたコンテンツの再生機能を有している。すなわち、ディスクドライブ部１３は、制御部１１の制御下において、装填されたＨＤ  ＤＶＤディスクＤから検出したコンテンツ情報をビデオ再生モジュール１４のコーデック及びＥＣＭＡスクリプト解析部でデコードし解析して、再生可能な映像信号として表示部１２に出力し、表示部１２は、映像信号に応じた映像を画面に表示する。同様に、記憶部１８に記憶されたコンテンツ情報も、ファイル管理部１７等により管理され読み出されて、ビデオ再生モジュール１４のコーデック及びＥＣＭＡスクリプト解析部でデコードし解析して、再生可能な映像信号として表示部１２に出力し、表示部１２は、映像信号に応じた映像を画面に表示する。
【００１４】
・バージョンアップ処理
次に、この実施形態に特有のＨＤ  ＤＶＤビデオのタイトルＩＤ等に基づいた、ビデオ再生モジュール１４のバージョンアップ処理の動作について、フローチャートを用いて以下に詳細に説明する。図３は、本発明の一実施形態に係る再生装置の再生モジュールのバージョンアップ動作の一例を示すフローチャートである。図４は、同じく再生装置のバージョンアップの是非の判断の一例を示すフローチャートである。図５は、同じく再生装置が扱うバージョンアップリストの一例を示す説明図である。
【００１５】
なお、以下の図３、図４、図６乃至図１０のフローチャートの各ステップは、回路ブロックに置き換えることができ、従って、各フローチャートのステップは、全てブロックに定義しなおすことが可能である。
【００１６】
ＨＤ  ＤＶＤ  Ｖｉｄｅｏ規格の改定等の影響により、改定前に作成されたＨＤ  ＤＶＤタイトルや改定後の新機能を有したＨＤ  ＤＶＤタイトルを再生する場合に、バージョンアップサイトの情報を確認して、再生モジュールのバージョンアップ処理を施す必要が生じてきている。
【００１７】
すなわち、図３のフローチャートに示すように、ユーザが光ディスクＤをディスクドライブ部１３に装填することで、または、装填と共に再生すべく再生ボタンの押下等の操作を行なうと（ステップＳ１１）、制御部１１及びディスク管理部１５は、光ディスクＤからの検出信号からコンテンツＩＤ（またはディスクＩＤまたは複数のコンテンツＩＤ等）を抽出する（ステップＳ１２）。この工程は図２の（１）にも示されている。
【００１８】
そして、バージョンアップ管理部１６は、図４のフローチャートを用いて後述するように、このコンテンツＩＤ等に基づいてバージョンアップが必要かどうかを判断する（ステップＳ１３）。この工程は図２の（２）にも示されている。
【００１９】
バージョンアップ管理部１６がバージョンアップが必要であると判断すると、制御部１１及びバージョンアップ管理部１６により、図６及び図７のフローチャートが示す手順により、バージョンアップモジュールの取得処理が行なわれる（ステップＳ１４）。
【００２０】
ここで、制御部１１及びバージョンアップ管理部１６は、バージョンアップモジュールの取得に成功したと判断すれば（ステップＳ１５）、図２の（７）のように、バージョンアップモジュールをビデオ再生モジュールに適用する（ステップＳ１６）。ＨＤ  ＤＶＤタイトル等の再生を開始する（ステップＳ１８）。
【００２１】
ここで、ビデオ再生モジュール１４の具体的な構成の一例としては、コーデック部とＥＣＭＡスクリプト解析部からなる場合がある。すなわち、コーデックは、ＶＣ−１や、ＭＰＥＧ２ＰＳ、Ｈ．２６４等が予め用意されているとして、更に、バージョンアップモジュ−ルとして、他の種類のコーデックが要求されて供給される場合が好適である。
【００２２】
更に、同様に、ＥＣＭＡスクリプトの解析機能から実行されるＡＰＩ機能についても、バージョンアップモジュールとして、現在用意されているＡＰＩ機能に加えて、新たなＡＰＩ機能が追加されていく場合が好適である。
【００２３】
しかし、制御部１１及びバージョンアップ管理部１６は、バージョンアップモジュールの取得に成功しなかったと判断すれば（ステップＳ１５）、エラー処理を行い、ＨＤ  ＤＶＤタイトル等の再生処理は行なわれない（ステップＳ１７）。
【００２４】
なお、ステップＳ１３で、バージョンアップ管理部１６がバージョンアップが必要でないと判断すると、現在のバージョンのビデオ再生モジュールのままで、または、記憶部１８に内蔵されているバージョンの再生モジュールによりビデオ再生モジュール１４を適宜バージョンアップした上で、ＨＤ  ＤＶＤタイトル等の再生を開始する（ステップＳ１８）。
【００２５】
すなわち、バージョンアップ管理部１６がバージョンアップは必要でないと判断する場合は、再生装置１０の記憶部１８やビデオ再生モジュール１４内に必要な複数のコーデックや必要な複数のＡＰＩ機能が既に用意されており、これをタイトルＩＤに応じて適宜、選択的に装填して再生する場合が好適である。
【００２６】
・バージョンアップ判断
次に、バージョンアップ判断処理を図４のフローチャートを用いて説明する。すなわち、制御部１１及びバージョンアップ管理部１６は、ディスク中のコンテンツＩＤ（またはディスクＩＤまたは複数のコンテンツＩＤ等）を検出する（ステップＳ２１）。次に、図５に示すようなバージョンアップリストを記憶部１８等から取得してきて、検出したコンテンツＩＤに対応するバージョンレベルと、制御部１１及びバージョンアップ管理部１６が格納しているビデオ再生モジュール１４の現在のバージョンレベルとを比較する（ステップＳ２２）。そして、制御部１１及びバージョンアップ管理部１６がバージョンアップが必要と判断すれば、後述するようなバージョンアップの処理を行なう（ステップＳ２４）。
【００２７】
・バージョンアップモジュール取得処理
バージョンアップ判断処理を図６及び図７のフローチャートを用いて説明する。図６は、同じく再生装置のコンテンツＩＤの送信処理とバージョンアップリスト・バージョンアップモジュールの受信処理の一例を示すフローチャートである。図７は、同じく再生装置と通信を行なうデータベースサーバのコンテンツＩＤの送受信処理の一例を示すフローチャートである。
【００２８】
制御部１１及びバージョンアップ管理部１６は、図６のフローチャートにおいて、バージョンアップが必要であると判断すると、制御部１１及びバージョンアップ管理部１６は、取得したコンテンツＩＤ（またはディスクＩＤまたは複数のコンテンツＩＤ等）を、図２の（３）のように、通信部１９を介してデータベースサーバＤＳの通信部３１に送信する（ステップＳ３１）。
【００２９】
制御部１１及びバージョンアップ管理部１６は、更に、コンテンツＩＤの送信が失敗したと判断すると、再送する設定になっていれば（ステップＳ３５）、コンテンツＩＤの送信を繰り返す。再送する設定になっていなければ（ステップＳ３５）、エラー処理として処理を進める（ステップＳ３６）。
【００３０】
制御部１１及びバージョンアップ管理部１６は、コンテンツＩＤの送信に成功したと判断すると、図２の（５）のように、通信部１９を介してデータベースサーバＤＳの通信部３１から、バージョンアップモジュール及びバージョンアップリストを受信する（ステップＳ３３）。そして、制御部１１及びバージョンアップ管理部１６は、図２の（６）のように、バージョンアップモジュール及びバージョンアップリストを記憶部１８等の保存領域に保存する（ステップＳ３４）。
【００３１】
このような再生装置１０の送信処理に対して、データベースサーバＤＳの側では、図７のフローチャートに示すように、データベース管理部３２は、通信部３１を介して、コンテンツＩＤ等を受信する（ステップＳ４１）。そして、データベース管理部３２は、図２の（４）のように、このコンテンツＩＤに基づきデータベース部３３からバージョンアップモジュールやバージョンアップリストを検索する（ステップＳ４２）。
【００３２】
データベース管理部３２は、コンテンツＩＤに関連するバージョンアップモジュールが存在すると判断すると、バージョンアップモジュール及びバージョンアップリストを、通信部３１を介して、再生装置１０に送信する（ステップＳ４４）。
【００３３】
データベース管理部３２は、コンテンツＩＤに関連するバージョンアップモジュールが存在しないと判断すると、バージョンアップリストだけを、通信部３１を介して、再生装置１０に送信する（ステップＳ４４）。
【００３４】
データベース管理部３２は、送信が完了したことで処理を完了し、送信が完了していなければ再送を行なう設定であれば再送を行い（ステップＳ４７）、再送しない設定であれば、エラー処理を行なって処理を終了する（ステップＳ４８）。
【００３５】
・バージョンアップリスト自動取得処理
次に、再生装置１０のバージョンアップリストの自動取得処理について、以下に図面を用いて説明する。図８は、同じく再生装置のバージョンアップリストの自動受信処理の一例を示すフローチャートである。図９は、同じく再生装置のバージョンアップリストの自動受信処理の一例を示すフローチャートである。図１０は、同じく再生装置と通信を行なうデータベースサーバのバージョンアップリストの自動送信処理の一例を示すフローチャートである。
【００３６】
すなわち、再生装置１０は、例えば、起動時等にバージョンアップリストを自動的に取得することが好適である。再生装置１０は、図８のフローチャートにおいて、電源の投入がなされると（ステップＳ５１）、ディスクドライブ部１３にディスクが装填されていれば、先に図３乃至図７を用いて示されたＨＤ  ＤＶＤタイトルの再生処理が行なわれることで、バージョンアップリストが取得される（ステップＳ５４）。しかし、ステップＳ５２でディスクドライブ部１３にディスクが装填されていない場合は、以下のようにバージョンアップリストが取得される（ステップＳ５３）。
【００３７】
すなわち、再生装置１０の制御部１１及びバージョンアップ管理部１６は、バージョンアップリスト取得要求信号を、通信部１９を介して、ネットワーク上のデータベースサーバＤＳに送信する（ステップＳ６１）。再生装置１０の制御部１１及びバージョンアップ管理部１６は、バージョンアップリスト取得要求送信が成功しなかったと判断し（ステップＳ６２）、更に、送信が設定されていれば（ステップＳ６５）送信を繰り返す。設定されていなければ、エラー処理を行なう（ステップＳ６６）。
【００３８】
再生装置１０の制御部１１及びバージョンアップ管理部１６は、バージョンアップリスト取得要求の送信が成功したと判断すれば、データベースサーバＤＳからバージョンアップリストを受信し（ステップＳ６３）、図２の（６）のように、バージョンアップリストを保存領域である記憶部１８に保存する（ステップＳ６４）。
【００３９】
また、一方、インターネット上のデータベースサーバＤＳは、図１０のフローチャートに示すように、データベース管理部３２が通信部３１を介して、バージョンアップリスト要求信号を受信する（ステップＳ７１）。そして、データベースサーバＤＳのデータベース管理部３２は、データベース部３３から検出したバージョンアップリストを通信部３１を介して、図２の（５）のように、再生装置１０に送信する（ステップＳ７２）。
【００４０】
ここで、データベース管理部３２がバージョンアップリストの送信は完了したと判断すれば処理は終了する（ステップＳ７３）。しかし、データベース管理部３２がバージョンアップリストの送信は完了していないと判断すると、更に送信が設定されていれば（ステップＳ７４）、送信を繰り返す。送信が設定されていなければ、エラー処理を行なう（ステップＳ７５）。これにより、バージョンアップリストは、データベースサーバＤＳからインターネットを介して再生装置１０に送信されるものである。
【００４１】
以上、本発明の一実施形態である再生装置１０とデータベースサーバＤＳからなる再生システムによれば、ユーザが特に操作を行なわなくとも、ＨＤ  ＤＶＤ等の光ディスクを装填するだけで、コンテンツＩＤ等が検出されたタイミングで、必要な再生モジュールが自動的に更新されるものである。従って、ユーザは特別な操作を必要とせずに、コンテンツに応じた最新の再生モジュールを用いて確実な再生処理を行なうことができる。
【００４２】
以上記載した様々な実施形態により、当業者は本発明を実現することができるが、更にこれらの実施形態の様々な変形例を思いつくことが当業者によって容易であり、発明的な能力をもたなくとも様々な実施形態へと適用することが可能である。従って、本発明は、開示された原理と新規な特徴に矛盾しない広範な範囲に及ぶものであり、上述した実施形態に限定されるものではない。
【図面の簡単な説明】
【００４３】
【図１】本発明の一実施形態に係る再生装置の構成の一例を示すブロック図。
【図２】本発明の一実施形態に係る再生装置の動作の一例を示すブロック図。
【図３】本発明の一実施形態に係る再生装置の再生モジュールのバージョンアップ動作の一例を示すフローチャート。
【図４】本発明の一実施形態に係る再生装置のバージョンアップの是非の判断の一例を示すフローチャート。
【図５】本発明の一実施形態に係る再生装置が扱うバージョンアップリストの一例を示す説明図。
【図６】本発明の一実施形態に係る再生装置のコンテンツＩＤの送信処理とバージョンアップリスト・バージョンアップモジュールの受信処理の一例を示すフローチャート。
【図７】本発明の一実施形態に係る再生装置と通信を行なうデータベースサーバのコンテンツＩＤの送受信処理の一例を示すフローチャート。
【図８】本発明の一実施形態に係る再生装置のバージョンアップリストの自動受信処理の一例を示すフローチャート。
【図９】本発明の一実施形態に係る再生装置のバージョンアップリストの自動受信処理の一例を示すフローチャート。
【図１０】本発明の一実施形態に係る再生装置と通信を行なうデータベースサーバのバージョンアップリストの自動送信処理の一例を示すフローチャート。
【符号の説明】
【００４４】
１０…再生装置、Ｄ…ＨＤ  ＤＶＤディスク、１２…表示部、１３…ディスクドライブ部、１４…ビデオ再生モジュール、１５…ディスク管理部、１６…バージョンアップ管理部、１７…ファイル管理部、１８…記憶部、１９…通信部、ＤＳ…データベースサーバ、３１…通信部、３２…データベース管理部、３３…データベース部。
【図１】
2009134359.tif 000003
【図２】
2009134359.tif 000004
【図３】
2009134359.tif 000005
【図４】
2009134359.tif 000006
【図５】
2009134359.tif 000007
【図６】
2009134359.tif 000008
【図７】
2009134359.tif 000009
【図８】
2009134359.tif 000010
【図９】
2009134359.tif 000011
【図１０】
2009134359.tif 000012